(57)【要約】【課題】アプリケーション装置に迅速に素材データを供給する。【解決手段】中間蓄積装置２００は、第１のネットワーク１０７を介してノンリニア編集装置１０１等のアプリケーション装置に接続され、第２のネットワーク２７０を介して収録再生装置３００に接続される。中間蓄積装置は、収録再生装置３００の装置情報を取得する装置情報取得手部２３１と、収録再生装置３００が収録した素材データの管理情報を取得する管理情報取得部２３２と、装置情報及び管理情報に基づいて、素材データを取得する優先度を設定する管理テーブル制御部２３４と、設定された優先度に応じて収録再生装置３００から素材データをクリップ単位で取得する素材データ取得部２３３と、素材データを格納し、要求に応じてノンリニア編集装置１０１に供給する素材データ保存エリア２０５を具備する。【選択図】      図２
2011193384.tif 000002
【特許請求の範囲】
【請求項１】
放送素材データを利用するアプリケーション装置と第１のネットワークを介して接続され、放送素材データを収録する収録装置と第２のネットワークを介して接続される素材データ中間蓄積装置であって、
前記第１のネットワークを介して前記アプリケーション装置と接続するための第１の接続部と、
前記第２のネットワークを介して前記収録装置と接続するための第２の接続部と、
前記収録装置の装置情報を取得する装置情報取得手段と、
前記収録装置が収録した素材データの管理情報を取得する管理情報取得手段と、
前記装置情報及び管理情報に基づいて、素材データを取得する優先度を設定するデータ管理手段と、
前記データ管理手段が設定した優先度に応じて前記収録装置から素材データをクリップ単位で取得する素材データ取得手段と、
前記素材データ取得手段が取得した素材データを格納し、要求に応じて前記素材データを前記アプリケーション装置に供給する素材データ格納手段と、
を具備する素材データ中間蓄積装置。
【請求項２】
前記第１の接続部は、前記第１のネットワークと映像素材データの交換を行なうのに充分な接続性能を有する請求項１に記載の素材データ中間蓄積装置。
【請求項３】
前記素材データ格納手段に格納されていない素材データを前記アプリケーション装置が要求した場合は、前記素材データ取得手段は、当該素材データを前記収録装置から取得して前記素材データ格納手段に格納し、且つ当該素材データを前記アプリケーション装置に供給する請求項１に記載の素材データ中間蓄積装置。
【請求項４】
前記素材データ格納手段に一部が格納されている素材データを前記アプリケーション装置が要求した場合は、前記素材データ取得手段は、当該素材データの残りの部分を前記収録装置から取得して前記素材データ格納手段に格納し、且つ当該素材データを前記アプリケーション装置に供給する請求項１に記載の素材データ中間蓄積装置。
【請求項５】
前記素材データ格納手段は素材データの先頭部分を格納し、
前記アプリケーション装置が当該素材データを要求した場合は、前記素材データ取得手段は、当該素材データの残りの部分を前記収録装置から取得して前記素材データ格納手段に格納し、且つ当該素材データを前記アプリケーション装置に供給する請求項４に記載の素材データ中間蓄積装置。
【請求項６】
前記データ管理手段は、素材種別及びショットマークの個数の少なくとも一方に基づいて素材データを取得する優先度を設定する請求項１に記載の素材データ中間蓄積装置。
【請求項７】
前記第１の接続部は、前記第１のネットワークを介して複数のアプリケーション装置に接続され、
前記データ管理手段は、前記複数のアプリケーション装置に、アプリケーションの種類に応じた優先度を設定する請求項１に記載の素材データ中間蓄積装置。
【請求項８】
放送素材データを収録する収録装置と、当該放送素材データを利用するアプリケーション装置と、前記アプリケーション装置と第１のネットワークを介して接続され、前記収録装置と第２のネットワークを介して接続される中間蓄積サーバを具備する放送素材編集システムであって、前記中間蓄積サーバは少なくとも１つの中間蓄積装置を備え、
前記中間蓄積装置は、
前記第１のネットワークを介して前記アプリケーション装置と接続するための第１の接続部と、
前記第２のネットワークを介して前記収録装置と接続するための第２の接続部と、
前記収録装置の装置情報を取得する装置情報取得手段と、
前記収録装置が収録した素材データの管理情報を取得する管理情報取得手段と、
前記装置情報及び管理情報に基づいて、素材データを取得する優先度を設定するデータ管理手段と、
前記データ管理手段が設定した優先度に応じて前記収録装置から素材データをクリップ単位で取得する素材データ取得手段と、
前記素材データ取得手段が取得した素材データを格納し、要求に応じて前記素材データを前記アプリケーション装置に供給する素材データ格納手段と、
を具備する放送素材編集システム。
【請求項９】
前記第１の接続部は、前記第１のネットワークと映像素材データの交換を行なうのに充分な接続性能を有する請求項８に記載の放送素材編集システム。
【請求項１０】
前記素材データ格納手段に格納されていない素材データを前記アプリケーション装置が要求した場合は、前記素材データ取得手段は、当該素材データを前記収録装置から取得して前記素材データ格納手段に格納し、且つ当該素材データを前記アプリケーション装置に供給する請求項８に記載の放送素材編集システム。
【請求項１１】
前記素材データ格納手段に一部が格納されている素材データを前記アプリケーション装置が要求した場合は、前記素材データ取得手段は、当該素材データの残りの部分を前記収録装置から取得して前記素材データ格納手段に格納し、且つ当該素材データを前記アプリケーション装置に供給する請求項８に記載の放送素材編集システム。
【請求項１２】
前記素材データ格納手段は素材データの先頭部分を格納し、
前記アプリケーション装置が当該素材データを要求した場合は、前記素材データ取得手段は、当該素材データの残りの部分を前記収録装置から取得して前記素材データ格納手段に格納し、且つ当該素材データを前記アプリケーション装置に供給する請求項１１に記載の放送素材編集システム。
【請求項１３】
前記データ管理手段は、素材種別及びショットマークの個数の少なくとも一方に基づいて素材データを取得する優先度を設定する請求項８に記載の放送素材編集システム。
【請求項１４】
前記第１の接続部は、前記第１のネットワークを介して複数のアプリケーション装置に接続され、
前記データ管理手段は、前記複数のアプリケーション装置に、アプリケーションの種類に応じた優先度を設定する請求項１に記載の放送素材編集システム。
【請求項１５】
前記中間蓄積サーバは、複数の中間蓄積装置を備え、
前記収録装置から取得された素材データは、前記複数の中間蓄積装置に分散して格納される請求項８に記載の放送素材編集システム。
【請求項１６】
前記収録装置によって同じ収録日時に収録された素材データは、前記複数の中間蓄積装置に分散して格納される請求項１５に記載の放送素材編集システム。
【請求項１７】
前記収録装置によって同一番組のために収録された素材データは、前記複数の中間蓄積装置に分散して格納される請求項１５に記載の放送素材編集システム。
【請求項１８】
前記素材データは、ショットマークが多く付与されたクリップが、より接続性能の高い中間蓄積装置に格納されるように、前記複数の中間蓄積装置に分散して格納される請求項１５に記載の放送素材編集システム。
【請求項１９】
前記素材データを前記複数の中間蓄積装置に分散して格納する場合は、前記素材データの管理情報は、前記複数の中間蓄積装置全てが保持する請求項１５に記載の放送素材編集システム。
【請求項２０】
前記素材データを前記複数の中間蓄積装置に分散して格納する場合は、前記収録装置の接続性能を帯域分割し、前記素材データの複数のクリップを複数の中間蓄積装置に並行して格納する請求項１５に記載の放送素材編集システム。
【請求項２１】
前記素材データを前記複数の中間蓄積装置に分散して格納する場合は、前記収録装置による収録時に設定された素材データ分割ファイル単位で、前記複数の中間蓄積装置に格納する請求項１５に記載の放送素材編集システム。
【請求項２２】
前記アプリケーション装置によって前記素材データに変更を加える場合は、前記複数の中間蓄積装置に分散して格納された当該素材データに変更を加え、前記収録装置が格納している当該素材データには変更を加えない請求項１５に記載の放送素材編集システム。
【発明の詳細な説明】
【技術分野】
【０００１】
本発明は、素材データ中間蓄積装置及び放送素材編集システムに関する。
【背景技術】
【０００２】
放送局から送出される番組映像は、収録再生装置による映像素材の収録、放送素材編集システムによる映像素材の編集、効果編集、及び番組編成に合わせた編集等の処理を経て生成される。一般の放送素材編集システムは、収録素材の編集を行なうノンリニア編集装置、編集された映像を蓄積し必要に応じて再利用を行うための管理を行う蓄積サーバ、及び生成された映像を送出する送出サーバ等を具備している。
【０００３】
従来、収録された映像素材や編集後の映像素材は、処理が進む都度、例えば磁気テープ等の記憶媒体に記憶されていた。このため、１つの処理が終わると作業者が人手を介して記憶媒体の受け渡しを行なっていた。しかしながら近年では、情報ネットワーク技術の進展に伴い、放送素材編集システムの各装置がネットワークを介して相互に接続され、当該ネットワークを介して映像素材を伝達することが行なわれるようになってきた（例えば特許文献１）。
【０００４】
ネットワークを介して放送素材の伝達を行なうテープレスな放送素材編集システムでは、素材データ（例えば映像データや音声データ）がデータファイル形式で扱われるため、ネットワークを経由して柔軟にデータ交換を行うことができる。
【先行技術文献】
【特許文献】
【０００５】
【特許文献１】特開２００１−７８０６０号公報
【発明の概要】
【発明が解決しようとする課題】
【０００６】
しかしながら、ネットワークへの接続性能（例えばデータ伝送レートや伝送帯域）は、放送素材編集システムに含まれる装置間で異なっていることがある。特に、ネットワーク性能の高いサーバ技術を応用したノンリニア編集装置や蓄積サーバと比較して、収録再生装置は充分なネットワーク接続性能を備えていないことが多い。このように装置間で接続性能のアンバランスが生じていると、編集作業をスムーズに進行できない可能性がある。
【０００７】
本発明は、前記のような問題に鑑みなされたもので、収録装置に充分なネットワーク性能が備えられていなくとも、アプリケーション装置に迅速に素材データを供給することができる素材データ中間蓄積装置及び放送素材編集システムを提供することを目的とする。
【課題を解決するための手段】
【０００８】
本発明の一実施形態に係る素材データ中間蓄積装置は、放送素材データを利用するアプリケーション装置と第１のネットワークを介して接続され、放送素材データを収録する収録装置と第２のネットワークを介して接続される素材データ中間蓄積装置であって、前記第１のネットワークを介して前記アプリケーション装置と接続するための第１の接続部と、前記第２のネットワークを介して前記収録装置と接続するための第２の接続部と、前記収録装置の装置情報を取得する装置情報取得手段と、前記収録装置が収録した素材データの管理情報を取得する管理情報取得手段と、前記装置情報及び管理情報に基づいて、素材データを取得する優先度を設定するデータ管理手段と、前記データ管理手段が設定した優先度に応じて前記収録装置から素材データをクリップ単位で取得する素材データ取得手段と、前記素材データ取得手段が取得した素材データを格納し、要求に応じて前記素材データを前記アプリケーション装置に供給する素材データ格納手段とを具備する。
【０００９】
本発明の一実施形態に係る放送素材編集システムは、放送素材データを収録する収録装置と、当該放送素材データを利用するアプリケーション装置と、前記アプリケーション装置と第１のネットワークを介して接続され、前記収録装置と第２のネットワークを介して接続される中間蓄積サーバを具備する放送素材編集システムであって、前記中間蓄積サーバは少なくとも１つの中間蓄積装置を備え、前記中間蓄積装置は、前記第１のネットワークを介して前記アプリケーション装置と接続するための第１の接続部と、前記第２のネットワークを介して前記収録装置と接続するための第２の接続部と、前記収録装置の装置情報を取得する装置情報取得手段と、前記収録装置が収録した素材データの管理情報を取得する管理情報取得手段と、前記装置情報及び管理情報に基づいて、素材データを取得する優先度を設定するデータ管理手段と、前記データ管理手段が設定した優先度に応じて前記収録装置から素材データをクリップ単位で取得する素材データ取得手段と、前記素材データ取得手段が取得した素材データを格納し、要求に応じて前記素材データを前記アプリケーション装置に供給する素材データ格納手段を具備する。
【発明の効果】
【００１０】
本発明の素材データ中間蓄積装置及び放送素材編集システムによれば、アプリケーション装置に迅速に素材データを供給することができる。
【図面の簡単な説明】
【００１１】
【図１】本発明の一実施形態に係る放送素材編集システムの概略構成を示す図。
【図２】図１に示す中間蓄積装置の構成とデータフローの詳細の一例を示すブロック図。
【図３】中間蓄積装置の管理テーブルにおいて管理される収録再生装置情報の一例を示すデータテーブル。
【図４】中間蓄積装置の管理テーブルにおいて管理されるクリップ管理情報の一例を示すデータテーブル。
【図５】中間蓄積装置の管理テーブルにおいて管理される優先度情報の一例を示すデータテーブル。
【図６】中間蓄積装置が起動した際に実行される動作のシーケンス図。
【図７】中間蓄積装置の起動後に、第２のネットワークに接続されている収録再生装置に変更があった場合に実行される動作を示すシーケンス図。
【図８】複数の中間蓄積装置を具備する放送素材編集システムの概略構成を示す図。
【発明を実施するための形態】
【００１２】
以下、図面を参照して本発明による放送素材編集システムの実施形態を説明する。
【００１３】
図１は、本発明の一実施形態に係る放送素材編集システムの概略構成を示す図である。図１に示すように、放送素材編集システム１０は、アプリケーション群としてノンリニア編集装置１０１、素材蓄積サーバ１０２、及び送出サーバ１０３を具備している。ノンリニア編集装置１０１、蓄積サーバ１０２、及び送出サーバ１０３はそれぞれ、接続部１０４、１０５、及び１０６を介して第１のネットワーク１０７に接続されている。
【００１４】
ノンリニア編集装置１０１は、デジタル化された映像素材に対して種々の編集処理を加える装置である。素材蓄積サーバ１０２は、映像素材を蓄積して管理し、他の装置による素材利用のために蓄積した素材データを提供する。送出サーバ１０３は、放送番組を放送用に送出するための装置である。
【００１５】
第１のネットワーク１０７は、例えばＬＡＮ等の有線又は無線のネットワークを含み、大容量の映像データや音声データであっても充分な性能で伝送できる伝送媒体である。ノンリニア編集装置１０１、素材蓄積サーバ１０２、及び送出サーバ１０３からネットワーク１０７へ接続するための接続部１０４〜１０６のそれぞれは、各装置のネットワークインタフェースに接続可能な接続ケーブルを具備している。これらの接続部１０４〜１０６は、充分な接続性能（高速データ伝送を実現するのに充分な機能）を備えている。
【００１６】
収録再生装置３００及び３５０は、番組素材を収録する機能と収録された素材を再生する機能を有する。図１に示す放送素材編集システム１０内には、２つの収録再生装置３００及び３５０が図示されているが、放送素材編集システム１０に備えられる収録再生装置の数は２個に限定されるわけではない。
【００１７】
収録再生装置３００及び３５０には、接続部３２０及び３７０がそれぞれ接続される。接続部３２０及び３７０は、それぞれの収録再生装置のネットワークインタフェースに接続される接続ケーブルを具備している。
【００１８】
一般的な収録再生装置の設計の際には、映像処理性能の向上や消費電力の削減等に主眼が置かれ、ネットワーク機能の高速性は重視されないことが多い。このため、収録再生装置３００と３５０を接続部３２０と３７０を介して直接的に第１のネットワーク１０７に接続しても、十分な接続性能が確保されない。例えばノンリニア編集装置１０１と第１のネットワーク１０７の間で、映像情報充分な接続性能が確保されていたとしても、収録再生装置３００が第１のネットワーク１０７に接続する接続性能に不足があると、ノンリニア編集機１０１から収録再生装置３００の映像情報を参照、再生、又は編集する処理の処理速度が落ちてしまう。
【００１９】
このため、本実施形態に係る放送素材編集システム１０では、収録再生装置３００及び３５０は、編集素材中間蓄積装置２００を介して第１のネットワーク１０７に接続されるように構成されている。
【００２０】
この放送素材編集システム１０では、収録再生装置３００及び３５０が収録した映像データや音声データは、中間蓄積装置２００に一時的にキャッシュされる。ノンリニア編集装置１０１、蓄積サーバ１０２、及び送出サーバ１０３を含むアプリケーション群は、必要に応じて、中間蓄積装置２００から映像データや音声データ等の素材データを取得する。
【００２１】
中間蓄積装置２００は、接続部２５０を介して第１のネットワーク１０７に、接続部２６０を介して第２のネットワーク２７０に接続されている。収録再生装置３００と３５０は、それぞれ接続部３２０と３７０を介して第２のネットワーク２７０に接続されている。
【００２２】
第２のネットワーク２７０は、各収録再生装置と中間蓄積装置２００を接続するネットワークである。第２のネットワーク２７０は、例えば有線又は無線のＬＡＮ含む。接続部２５０及び２６０は、中間蓄積装置２００のネットワークインタフェースに接続可能な接続ケーブルを具備しており、中間蓄積装置２００を第１のネットワーク及び第２のネットワークへそれぞれ接続する。
【００２３】
収録再生装置３００によって収録された映像データ及び画像データを含む素材データは、接続部３２０から第２のネットワーク２７０に送られ、第２のネットワーク２７０から接続部２６０を介して中間蓄積装置２００にコピーされる。例えばノンリニア編集装置１０１による当該素材データへのアクセスが必要となったら、ノンリニア編集装置は、収録再生装置３００には直接アクセスせず、中間蓄積装置２００にアクセスする。これによって、素材データの伝送に充分な伝送帯域を確保することができる。
【００２４】
放送素材編集システム１０の外部に備えられた収録再生装置４００は、他のベンダが提供する収録再生装置である。第２のネットワーク２７０は、システム外の他のベンダが提供する収録再生装置４００のプロトコルにも対応してもよい。この場合、収録再生装置４００は、第２のネットワーク２７０を介して中間蓄積装置２００に接続される。このため、第１のネットワーク１０７の上位にあるアプリケーション群からは、収録再生装置３００及び３５０と、システム外部の収録再生装置４００とを、同等に取り扱うことが可能となる。
【００２５】
一方、第２のネットワーク２７０が、システム外部の他のベンダが提供する別の収録再生装置４５０のプロトコルに対応していなければ、当該収録再生装置４５０によって収録された素材データを編集素材中間蓄積装置２０１にキャッシュすることはできない。このような場合は、収録再生装置４５０は、接続部４５５を介して第１のネットワーク１０７に直接接続される必要がある。
【００２６】
なお、上述の第１のネットワーク１０７と第２のネットワーク２７０は同一のネットワークであってもよい。また、第２のネットワーク２７０が第１のネットワーク１０７の一部を構成してもよい。
【００２７】
図２は、図１に示す中間蓄積装置の構成とデータフローの詳細の一例を示すブロック図である。図２では、一例として、収録再生装置３００が収録した素材データをノンリニア編集装置１０１が参照する場合のデータの流れが示されている。しかしながら、ノンリニア編集装置１０１に限らず、アプリケーション群の他の装置が素材データを参照する際にも、同様の手順で処理が行われる。
【００２８】
中間蓄積装置２００は、第１のネットワークと接続するためのネットワークインタフェース２０１及び第２のネットワークに接続するためのネットワークインタフェース２０２を具備している。
【００２９】
また中間蓄積装置２００は、装置全体の動作を制御する制御部２０３を備えている。制御部２０３は、図示しないプロセッサ、プログラムメモリ、及びワークメモリを含み、プログラムメモリに保存された所定のプログラムをプロセッサが実行することで、装置情報取得部２３１、管理情報取得部２３２、素材データ取得部２３３、管理テーブル制御部２３４、及び素材データ制御部２３５の機能を実現する。
【００３０】
装置情報取得部２３１は、第２のネットワーク２７０を介して接続された収録再生装置の装置情報を取得する。管理情報取得部２３１は、第２のネットワーク２７０を介して接続された収録再生装置から、それぞれの収録再生装置が収録した素材データの管理情報を取得する。素材データ取得部２３３は、実際に収録再生装置から素材データを取得する。管理テーブル制御部２３４は、収録再生装置から取得した管理情報に基づいて、管理テーブル２０４の各データテーブルに格納される情報を管理する。素材データ制御部２３５は、素材データ保存エリア２０５に保存されている素材データに対して、アプリケーション装置の利用形態に応じてファイル形式の変換や、クリップの区切り方の変更、不要なファイルの削除等、所要の処理を施す。
【００３１】
中間蓄積装置２００は更に、管理テーブル２０４と素材データ保存エリア２０５を備えている。管理テーブル２０４は、中間蓄積装置２００に蓄積される素材データや接続された収録再生装置の情報を管理テーブル制御部２３４の制御の下で管理する。管理テーブル２０４に設けられる装置情報テーブル２４１、クリップ管理データテーブル２４２、及び優先度データテーブル２４３の詳細は、図３〜図５にそれぞれ示される。また素材データ保存エリア２０５は、素材データを蓄積する記憶部である。素材データ保存エリア２０５は、複数の収録再生装置から送られた素材データを記憶するのに充分な記憶容量を備えているものとする。
【００３２】
図２に示すように、ノンリニア編集装置１０１は、編集制御部１１０、データメモリ１１１、及びネットワークインタフェース１１２を具備している。
【００３３】
ネットワークインタフェース１１２は、接続部１０４を介してノンリニア編集装置１０１を第１のネットワークに接続する。編集制御部１１０は、図示しないプロセッサ、プログラムメモリ、及びワークメモリを含み、プログラムメモリに保存された所定のプログラムをプロセッサが実行することで、中間蓄積装置２００から取得した素材データに対する編集処理が行われる。データメモリ１１１は、中間蓄積装置２００から取得した素材データを保存する。
【００３４】
また収録再生装置３００は、図２に示すように、ネットワークインタフェース３０１、収録再生制御部３０２、管理データ保存部３０３、及び素材データ保存部３０４を具備している。
【００３５】
ネットワークインタフェース３０１は、接続部３２０を介して収録再生装置３００を第２のネットワーク２７０に接続する。収録再生制御部３０２は、図示しないプロセッサ、プログラムメモリ、及びワークメモリを含み、プログラムメモリに保存された所定のプログラムをプロセッサが実行することで、素材データの収録処理及び再生処理を制御する。管理データ記憶部３０３は、収録再生制御部３０２によって収録された素材データの種々の管理情報を保持する。素材データ保存部３０４は、収録再生制御部３０２によって収録された素材データを保存する。
【００３６】
図２において、矢印５１０は、収録再生装置３００の管理データ保存部３０３から中間蓄積装置２００の管理テーブル２０４へ送られる管理情報の流れを示す。同様に矢印５２０は、中間蓄積装置２００の管理テーブル２０４からノンリニア編集装置１０１の編集制御部１１０へ送られる管理情報の流れを示す。また矢印５３０は、収録再生装置３００の素材データ保存部３０４から中間蓄積装置２００の素材データ保存エリア２０５への素材データの流れを示す。同様に矢印５４０は、中間蓄積装置２００の素材データ保存エリア２０５からノンリニア編集装置１０１のデータメモリ１１１への素材データの流れを示す。接続性能に違いがあるため、収録再生装置３００から中間蓄積装置２００へのデータ伝送容量よりも、中間蓄積装置２００からノンリニア編集装置１０１へのデータ伝送容量の方が大きい（図２では矢印５３０と５４０の太さによってデータ伝送容量が表されている）。
【００３７】
中間蓄積装置２００の管理テーブル２０４では、例えば以下に説明するように、収録再生装置の装置情報、クリップ管理情報、優先度情報等の管理情報を管理している。
【００３８】
図３は、中間蓄積装置の管理テーブルにおいて管理される収録再生装置情報の一例を示すデータテーブルである。
【００３９】
この装置情報テーブル２４１には、装置情報取得部２３１によって取得された収録再生装置の管理情報が、管理テーブル制御部２３４による制御によって格納される。すなわち、中間蓄積装置２００に第２のネットワーク２７０を介して接続される各収録再生装置の装置情報を装置情報取得部２３１が取得し、管理テーブル制御部２３４が装置ＩＤに対応付けて装置情報テーブル２４１に書き込む。
【００４０】
図３に示すように、装置情報テーブル２４１には、装置ＩＤに対応して、ＭＡＣアドレス等の装置固有情報、ＩＰアドレス、最終の情報更新日時、最新のデータ取得日時等のデータ項目が備えられている。装置ＩＤは、収録再生装置毎に、管理テーブル制御部２３４によって自動的に付与される。
【００４１】
図４は、中間蓄積装置の管理テーブルにおいて管理されるクリップ管理情報の一例を示すデータテーブルである。
【００４２】
このクリップ管理データテーブル２４２には、管理情報取得部２３２によって収録再生装置の管理データ保存部から取得した各素材データクリップの管理情報が、管理テーブル制御部２３４によって格納される。すなわち、収録再生装置が収録した各クリップの管理情報を管理情報取得部２３２が取得し、管理テーブル制御部２３４がクリップ毎の管理情報をクリップ管理データテーブル２４２に書き込む。
【００４３】
図４に示すように、クリップ管理データテーブル２４２には、素材データのクリップ毎に、当該クリップを取得した収録再生装置の装置ＩＤ、クリップ番号、素材種別、ショットマーク（Ｓマーク）数、保存先ディレクトリ、蓄積状態、蓄積優先度、アプリケーション群によるアクセス状態、最終のアクセス日時等のデータ項目が備えられている。
【００４４】
素材データ保存エリア２０５では、素材データがクリップ単位で保存されるため、管理テーブル２０４でも、クリップ毎に情報管理が行なわれる。
【００４５】
素材種別は、対応するクリップがどのような番組（例えばニュース番組、スポーツ番組等）の素材であるかを表す識別子であってもよい。ショットマークは、クリップにおける画面の切り替わり等の重要な箇所に付与され、参照用のインデックス機能を果たす。保存先ディレクトリは、一素材データ保存エリア２０５でのクリップの格納領域を表す。蓄積状態は、クリップの蓄積が完了したか、現在取り込み中であるか、あるいはこれから蓄積する予定であるか等の、クリップの取り込み（蓄積）ステータスを表す。取り込みの途中であるクリップであれば、先頭から何フレームが取り込まれたか等の情報が、蓄積状態情報としてデータテーブルに格納される。蓄積優先度は、当該クリップを収録再生装置から取り込む優先度を示す。蓄積優先度は、クリップの蓄積が完了するごとに更新（０クリア）される。
【００４６】
アプリケーション（ＡＰ）アクセス状態は、アプリケーション群（ノンリニア編集装置１０１、蓄積サーバ１０２、送出サーバ１０３等）からのアクセス中であるか否か等、アプリケーション群からのアクセスのステータスを表す。最終アクセス完了日時は、アプリケーション群からの最終のアクセスが完了した日時を表す。
【００４７】
図５は、中間蓄積装置の管理テーブルにおいて管理される優先度情報の一例を示すデータテーブルである。
【００４８】
この優先度データテーブル２４３には、管理テーブル制御部２３４の制御の下で、アプリケーション群内の装置毎に、それぞれのＩＰアドレス、装置種別、優先度の各データが格納される。優先度データテーブル２４３によって、第１のネットワーク１０７の上位の各装置からのアクセスに優先度を設定することができる。このため、保存が完了していない同一収録再生装置からの素材データが同時に複数のアプリケーションから要求されるような場合であっても、アプリケーションからのアクセスを優先度に応じて許可したり拒否したりすることができるようになる。従って、複数のアプリケーションからのアクセスの衝突によって素材データが不用意に失われることが防止できる。一例として、ＩＰアドレスの範囲で優先度を決めておき、特定の装置については個別に優先度を設定することもできる。
【００４９】
次に、以上のように構成された本実施形態に係る放送素材編集システムの動作例について説明する。
【００５０】
図６は、中間蓄積装置が起動した際に実行される動作を示すシーケンス図である。
【００５１】
中間蓄積装置２００が起動すると、第２のネットワーク２７０に接続されている装置の存在確認が行なわれる（ステップＳ６０１）。例えば中間蓄積装置２００は、pingコマンド等を第２のネットワークに送信し、その応答を受信することで第２のネットワーク２７０に接続された装置を確認する。図６に示す例では、収録再生装置３００及びシステム外の外部装置４８０から応答信号が受信されているので（ステップＳ６０２及びＳ６０３）、中間蓄積装置２００は、第２のネットワーク２７０に収録再生装置３００と外部装置４８０が接続されていることを確認できる。
【００５２】
装置情報取得部２３１は、第２のネットワーク２７０に接続された各装置に、装置情報を要求する。放送素材編集システム１０内の収録再生装置３００への装置情報要求（ステップＳ６０４）に応じて、当該収録再生装置３００からは装置情報が送信される（ステップＳ６０５）。一方、システム外の外部装置４８０への装置情報要求（ステップＳ６０６）に対しては、所定時間内には装置情報が送られず（ステップＳ６０７）、タイムアウトが生じる。このような装置情報要求への応答がない装置については、中間蓄積装置２００は、放送素材編集システム１０とは関連のない装置とみなされる。
【００５３】
装置情報要求に応答して送られた装置情報は、管理テーブル制御部２３４によって、管理テーブル２０４内の装置情報テーブル２４１に格納される（ステップＳＡ）。装置情報テーブル２４１に格納された装置情報は、中間蓄積装置２００の次回の起動時に参照され、装置の存在確認を迅速に行なうことができるようになる。
【００５４】
管理情報取得部２３２は、システム内の収録再生装置３００に管理情報を要求し（ステップＳ６０８）、要求に応じて収録再生装置３００から返送される管理情報を受信する（ステップＳ６０９）。管理テーブル制御部２３４は、受信された管理情報に基づいてクリップ管理データテーブル２４２を生成し、クリップ毎の蓄積優先度を決定する（ステップＳ６１０）。
【００５５】
例えば、中間蓄積装置２００への蓄積が完了していないクリップの蓄積優先度は、ショットマーク数が多いほど高くなるように決定される。また、素材種別を考慮して蓄積優先度が決定されてもよい。
【００５６】
素材データ取得部２３３は、アプリケーションからの要求や中間蓄積装置２００内のタイマ設定等のクリップ蓄積のトリガを検出したら（ステップＳ６１１）、クリップの蓄積優先度に応じた素材データ（クリップ）を収録再生装置３００に要求する（ステップＳ６１２）。素材データの要求に応答して、収録再生装置３００から中間蓄積装置２００には要求されたクリップが返送される（ステップＳ６１３）。素材データ取得部２３３は、返送されたクリップを素材データ保存エリア２０５に格納する（ステップＳＢ）。素材データ保存エリア２０５に格納された素材データのクリップは、アプリケーション群による利用が可能となる。
【００５７】
管理テーブル制御部２３４は、クリップ管理データテーブル２４２において、素材データ保存エリア２０５に格納されたクリップの蓄積優先度をクリアし、蓄積優先度の情報を更新する（ステップＳ６１４）。
【００５８】
素材データ取得部２３３は更に、クリップの蓄積優先度に応じて収録再生装置３００に素材データ（クリップ）を要求する（ステップＳ６１５）。素材データの要求に応答して、収録再生装置３００から中間蓄積装置２００には要求されたクリップが返送される（ステップＳ６１６）。素材データ取得部２３３は、返送されたクリップを素材データ保存エリア２０５に格納する（ステップＳＢ）。素材データ保存エリア２０５に格納された素材データのクリップは、アプリケーション群による利用が可能となる。
【００５９】
管理テーブル制御部２３４は、クリップ管理データテーブル２４２において、素材データ保存エリア２０５に保存されたクリップの蓄積優先度をクリアし、蓄積優先度の情報を更新する（ステップＳ６１７）。以降、同様の動作が繰り返される。
【００６０】
例えばステップＳ６１０で蓄積優先度が決定されてから所定の時間が経過したら、当該時間の経過をトリガとして検出して（ステップＳ６１１）、素材データの蓄積が開始されてもよい。
【００６１】
また、中間蓄積装置２００に一部しか蓄積されていないクリップについては、アプリケーション群のいずれかの装置による当該クリップ又は当該クリップの管理情報へのアクセス試行がトリガとして検出される（ステップＳ６１１）。素材データ取得部２３３は、このトリガに応答して、収録再生装置３００の当該クリップに関連するデータを要求、取得してもよい（ステップＳ６１２〜Ｓ６１７）。すなわち、中間蓄積装置２００がデータの全てを保存していなくても、アプリケーション群からの要求に応じて、必要なデータを取得することができる。
【００６２】
例えば、中間蓄積装置２００に先頭フレームのみが蓄積されているクリップ又は当該クリップの管理情報へのアクセス試行が検出されたら、素材データ取得部２３３は、収録再生装置３００の当該フレーム以降のデータを要求、蓄積する。
【００６３】
また、中間蓄積装置２００に蓄積されていないクリップをアプリケーション群のいずれかの装置が要求したら、当該要求がトリガとして検出される（ステップＳ６１１）。素材データ取得部２３３は、要求されたデータを素材データ保存エリア２０５に蓄積しながら要求元のアプリケーションへの送信も行なう。これによって、次回に当該素材データが要求された場合に、アプリケーション群からは迅速に当該データにアクセスすることができる。
【００６４】
図７は、中間蓄積装置の起動後に、第２のネットワークに接続されている収録再生装置に変更があった場合に実行される動作を示すシーケンス図である。
【００６５】
収録再生装置３１０が新たに第２のネットワーク２７０に接続された場合、第２のネットワーク２７０に既に接続された収録再生装置３１０において素材データの収録が行われてデータが追加された場合、又は第２のネットワーク２７０に既に接続された収録再生装置３１０において素材データが削除された場合（ステップＳ７０１）、収録再生装置３１０から中間蓄積装置２００に状態変化通知が発信される（ステップＳ７０２）。
【００６６】
装置情報取得部２３１は、状態変化通知に応答して、収録再生装置３１０に装置情報を要求する（ステップＳ７０３）。収録再生装置３１０は、装置情報要求に応じて、中間蓄積装置２００に装置情報を送信する（ステップＳ７０４）。
【００６７】
装置情報要求に応答して送られた装置情報は、管理テーブル制御部２３４によって、管理テーブル２０４内の装置情報テーブル２４１に格納される（ステップＳＡ）。
【００６８】
管理情報取得部２３２は、収録再生装置３１０に管理情報を要求し（ステップＳ７０５）、要求に応じて収録再生装置３１０から返送される管理情報を受信する（ステップＳ７０６）。管理テーブル制御部２３４は、受信された管理情報に基づいてクリップ管理データテーブル２４２を生成し、クリップ毎の蓄積優先度を決定する（ステップＳ７０７）。
【００６９】
図６に示した例と同様に、例えば、中間蓄積装置２００への蓄積が完了していないクリップの蓄積優先度は、ショットマーク数が多いほど高くなるように決定される。また、素材種別を考慮して蓄積優先度が決定されてもよい。管理テーブル制御部２３４は、格納された管理情報を参照して、収録再生装置３１０が新たに収録した素材データのクリップを検出し、当該クリップの優先度が高くなるように蓄積優先度を設定してもよい。
【００７０】
管理テーブル制御部２３４が、クリップ管理データテーブル２４２を参照して中間蓄積装置２００において不要となったデータが検出したら、素材データ制御部２３５によって当該不要なデータが削除される（ステップＳ７０８）。
【００７１】
素材データ取得部２３３は、アプリケーションからの要求や中間蓄積装置２００内のタイマ設定等のクリップ蓄積のトリガを検出したら（ステップＳ７０９）、クリップの蓄積優先度に応じて収録再生装置３１０に素材データ（クリップ）を要求する（ステップＳ７１０）。素材データの要求に応答して、収録再生装置３１０から中間蓄積装置２００には要求されたクリップが返送される（ステップＳ７１１）。素材データ取得部２３３は、返送されたクリップを素材データ保存エリア２０５に格納する（ステップＳＢ）。管理テーブル制御部２３４は、クリップ管理データテーブル２４２において、素材データエリア２０５に格納されたクリップの蓄積優先度をクリアし、蓄積優先度の情報を更新する（ステップＳ７１２）。以降、同様の動作が繰り返され、蓄積優先度に従ってクリップの蓄積が行なわれる。
【００７２】
図６の例と同様に、例えばステップＳ７０７で蓄積優先度が決定されてから所定の時間が経過したら、当該時間の経過をトリガとして検出して（ステップＳ７０９）、素材データの蓄積が開始されてもよい。
【００７３】
また、中間蓄積装置２００に一部しか蓄積されていないクリップについては、アプリケーション群のいずれかの装置による当該クリップ又は当該クリップの管理情報へのアクセス試行がトリガとして検出される（ステップＳ７０９）。素材データ取得部２３３は、このトリガに応答して、収録再生装置３１０の当該クリップに関連するデータを要求して、蓄積してもよい。
【００７４】
例えば、中間蓄積装置２００に先頭フレームのみが蓄積されているクリップ又は当該クリップの管理情報へのアクセス試行が検出されたら、素材データ取得部２３３は、収録再生装置３１０の当該フレーム以降のデータを要求、蓄積する。
【００７５】
また、中間蓄積装置２００に蓄積されていないクリップをアプリケーション群のいずれかの装置が要求したら、当該要求がトリガとして検出される（ステップＳ７０９）。素材データ取得部２３３は、要求されたデータを素材データ保存エリア２０５に蓄積しながら要求元のアプリケーションへの送信も行なう。
【００７６】
なお図７の説明では、一例として、収録再生装置３１０からの状態変化通知に応答して中間蓄積装置２００から装置情報が要求されたが（ステップＳ７０３）、中間蓄積装置２００は、所定の周期で第２のネットワーク２７０上の各装置に装置情報を送信するよう構成されてもよい。
【００７７】
上述のように、中間蓄積装置１０は、起動時又は収録再生装置からの変更通知に応じて、収録再生装置が収録した素材データをクリップ単位で取得して蓄積する。アプリケーション群の装置は、ネットワーク性能が低い収録再生装置に直接アクセスせずに、充分なネットワーク性能を有する中間蓄積装置にアクセスして素材データを取得する。このため、アプリケーション群からの要求に対する応答性能を向上させることができ、操作性も向上する。
【００７８】
図１に示す例では、放送素材編集システム１０は、１つの中間蓄積装置２１０を備えていたが、中間蓄積装置は複数備えられていてもよい。以下では、複数の中間蓄積装置を具備する放送素材編集システムについて、図面を参照して説明する。各図において、共通する部分には対応する参照数字を付して詳細な説明は省略する。
【００７９】
図８は、複数の中間蓄積装置を具備する放送素材編集システムの概略構成を示す図である。
【００８０】
図８に示す例では、第１のネットワーク１０７と第２のネットワーク２０７の間の中間蓄積サーバ部に、中間蓄積装置２００に加えて、２つの中間蓄積装置２１０と２２０が備えられている。中間蓄積装置２１０及び２２０は、中間蓄積装置２００と同様の構成を具備する（図２参照）。あるいは、１つの中間蓄積装置のみが制御部２０３を備え、他の中間蓄積装置は管理テーブル２０４と素材データ保存エリア２０５のみを具備するような構成であってもよい。
【００８１】
中間蓄積装置２１０は、接続部２１５を介して第１のネットワーク１０７に、接続部２１６を介して第２のネットワークに接続されている。同様に中間蓄積装置２２０は、接続部２２５を介して第１のネットワーク１０７に、接続部２２６を介して第２のネッワークに接続されている。接続部２１５、２１６、２２５、及び２２６は、各中間蓄積装置のネットワークインタフェースに接続可能な接続ケーブルを具備している。第１のネットワーク１０７に接続される接続部２１５、２２５、及び２５０は、映像データや音声データを含む素材データの伝送に充分な接続性能を有しているものとする。
【００８２】
収録再生装置３００や収録再生装置３５０が保持する素材データの情報は、中間蓄積装置２００、２１０、及び２２０を代表して、中間蓄積装置２００が検出する。中間蓄積装置２００は、どの素材データを、どの中間蓄積装置に格納するかを決定し、決定に従って素材データの中間蓄積装置へのコピー（格納動作）が開始される（図６及び図７のシーケンス図参照）。
【００８３】
素材データをいずれかの中間蓄積装置へ格納する処理は、第２のネットワーク２７０と、第２のネットワーク２７０に接続される接続部２１６、２６０、２２６、３２０、及び３７０を介して行われる。この処理は、中間蓄積装置２００、２１０、及び２２０が、通常のネットワークプロトコル、あるいは収録再生装置のプロトコル等の各プロトコルに対応していれば、実行が可能である。システム外の他のベンダが提供する収録再生装置４００によって収録された素材データも、プロトコルが適合すれば、いずれかの中間蓄積装置へのコピーが可能である。
【００８４】
アプリケーション群に含まれるノンリニア編集装置１０１、蓄積サーバ１０２、及び送出サーバ１０３も第１のネットワーク１０７を介して互いに通信可能である。このため、アプリケーション群の装置も互いに連携して、中間蓄積媒体２００、２０１、及び２２０にキャッシュされる素材データから放送番組データを生成して、番組データを送出する。素材データへのアクセスが必要になると、中間蓄積媒体２００、２１０、及び２２０が保持するクリップ管理データテーブルの情報がそれぞれ参照されて、必要な素材データを格納している中間蓄積装置が判定され、当該中間蓄積装置へのアクセスが行なわれる。
【００８５】
この場合、第１のネットワーク１０７、接続部１０４〜１０６、２０４、２１５、２２５、及び２５０等は、素材データの伝送に充分な性能を持つ伝送路を構成するがアクセスに用いられる。従って、充分な応答性能が確保される。
【００８６】
以上のように、中間蓄積装置２００、２１０及び２２０は、適切なタイミングで収録再生装置から素材データを取得し、より高いネットワーク性能によるアプリケーション群からのアクセスを可能にする。また、各中間蓄積装置のクリップ管理データテーブル２４２が参照され、素材データ（クリップ）がアプリケーション群の装置に直接提供される。このため、アプリケーション群の装置は、良好な状況で素材データにアクセスできる。
【００８７】
例えば、中間蓄積装置２００の管理テーブル制御部２３４は、同一日時に各収録再生装置によって収録された複数のクリップを、複数の中間蓄積装置に分散して格納するよう、各中間蓄積装置の管理テーブル制御部に指示を与えることもできる。これにより上位アプリケーションは、複数の中間蓄積装置のネットワークインタフェースそれぞれにアクセスし、同一日時に収録された素材データに高速でアクセスすることが可能となる。
【００８８】
また、中間蓄積装置２００の管理テーブル制御部２３４は、同一番組のために収録された複数のクリップを、複数の中間蓄積装置に分散して格納するよう、各中間蓄積装置の管理テーブル制御部に指示を与えることもできる。これにより上位アプリケーションは、複数の中間蓄積装置のネットワークインタフェースそれぞれにアクセスし、同一番組用の素材データに高速でアクセスすることが可能となる。
【００８９】
また、中間蓄積装置２００の管理テーブル制御部２３４は、各クリップに付与されたショットマークの情報に従って、複数のクリップを複数の中間蓄積装置に分散して格納するよう、各中間蓄積装置の管理テーブル制御部に指示を与えることもできる。
【００９０】
例えばショットマークの多いファイルは、ネットワーク性能がより高い中間蓄積装置に格納されるよう指示が行われる。従って、アクセスの可能性の高い収録素材に対して、より高性能な中間蓄積装置のネットワークインタフェースを介して高速でアクセスすることが可能となる。また、素材データクリップを、ショットマークの数量が均等になるように複数の中間蓄積装置に分散させて格納することでも、高速アクセスが可能になる。
【００９１】
また、中間蓄積装置２００、２１０、及び２２０それぞれの管理テーブル制御部２３４は、素材データの管理情報（インデクス情報）を、全ての中間蓄積装置上にコピーしてもよい。これにより、上位アプリケーションは、素材データの管理情報に高速にアクセスすることが可能となる。
【００９２】
また、中間蓄積装置２００の管理テーブル制御部２３４が、素材データを複数中間蓄積装置へ分散させて格納するよう設定した場合は、各中間蓄積装置の素材データ取得部２３３は、収録再生装置からそれぞれの中間蓄積媒体への素材データのコピーを、同時に帯域分割して行うこともできる。すなわち、収録再生装置の接続性能を帯域分割して、複数のクリップを同時に複数の中間蓄積装置に並行して転送してもよい。これにより、素材データの部分的なバランスを欠くことなく中間蓄積装置に徐々にコピーすることとなり、上位アプリケーションが必要とする情報に対して、平均的にアクセスの性能を保証することが可能となる。
【００９３】
また、上述のように素材データを複数の中間蓄積装置に分散して格納する場合には、既に収録再生装置において分割されている分割ファイル単位での格納が行なわれる。これにより中間蓄積装置上でのファイル変換処理等の処理負荷が軽減され、より高速に上位アプリケーションのアクセスを受けることが可能となる。
【００９４】
また、上述のように素材データを複数の中間蓄積装置に分散して格納する場合には、既に収録再生装置において分割されている分割ファイル単位での格納が行なわれる。これにより中間蓄積装置上でのファイル変換処理等の処理負荷が軽減され、より高速に上位アプリケーションのアクセスを受けることが可能となる。
【００９５】
上位アプリケーションからファイル変更要求がなされた場合には、素材データ制御部２３５によって、既に中間蓄積装置に格納されている素材データに対してファイル変更が行なわれる。収録再生装置に格納されている素材データに対しては変更が行われない。対応する素材データが中間蓄積装置に格納されていない場合、当該素材データの収録再生装置からのコピーが優先的に実行される。その後、素材データ制御部２３５によって、ファイル変更処理が行われる。これにより、素材データの消去を防止して、オリジナルデータを保護できるようになる。また、処理時間の大きい書き込み処理を中間蓄積装置において実施することでより、効率的なアプリケーションからのアクセスが可能となる。
【００９６】
本発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、１つの実施形態に示される全構成要件から幾つかの構成要件が削除されたり、幾つかの実施形態に示される構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００９７】
１０…放送素材編集システム、１０１…ノンリニア編集装置、１０２…蓄積サーバ、１０３…送出サーバ、１０４〜１０６…接続部、１０７…第１のネットワーク、２００…中間蓄積装置、２５０…接続部、２６０…接続部、２７０…第２のネットワーク、３００…収録再生装置、３２０…接続部、３５０…収録再生装置、３７０…接続部、４００、４５０…他ベンダの収録再生装置、４５５…接続部。
【図１】
2011193384.tif 000003
【図２】
2011193384.tif 000004
【図３】
2011193384.tif 000005
【図４】
2011193384.tif 000006
【図５】
2011193384.tif 000007
【図６】
2011193384.tif 000008
【図７】
2011193384.tif 000009
【図８】
2011193384.tif 000010